(57)【要約】【課題】被制御機器の誤操作や不正操作、リモコン操作にかかわるプライバシーの漏洩を防止し信頼性を向上させる。【解決手段】簡易登録方式による登録を行なったときには、操作機器と被制御装置との間で互いに相手の機器ＩＤを交換し、これを宛先ＩＤとして機器操作コマンドなどのデータを送受信するため、互いに相手の機器ＩＤを交換していないときにはリモコン操作が不可能となり、被制御機器の誤操作や、エリア外からの不正操作を防止できる。また、暗号化登録方式による登録を行なったときには、操作機器と被制御装置との間で互いに暗号キーと相手の機器ＩＤを交換し、前記機器ＩＤを宛先ＩＤとする、前記暗号キーをもとに暗号化した機器操作コマンドなどのデータを送受信するため、機器操作コマンドなどのデータの解読、リモコン操作にかかわるプライバシーの漏洩を防止できる。【選択図】図１１
2008085959.tif 000002
【特許請求の範囲】
【請求項１】
遠隔操作が許可される操作機器と被制御装置を特定する動作を行う簡易登録モードを有し、遠隔操作を行うためのコマンドを前記操作機器から無線により前記被制御装置へ送信し、前記被制御装置を遠隔操作するリモートコントロール方法であって、
前記簡易登録モードは、
遠隔操作が許可される操作機器を特定する相手機器固有情報を前記操作機器から被制御装置へ平文で送信するステップと、
前記操作機器から前記被制御装置へ平文で送信された前記操作機器を特定する相手機器固有情報を前記被制御装置が登録するステップと、
前記操作機器を特定する前記相手機器固有情報を登録した前記被制御装置から前記操作機器へ、遠隔操作が許可される被制御装置を特定する相手機器固有情報を平文で送信するステップと、
前記被制御装置から前記操作機器へ平文で送信された前記被制御装置を特定する相手機器固有情報を前記操作機器が登録するステップと、
を含むことを特徴とするリモートコントロール方法。
【請求項２】
前記操作機器と前記被制御装置とにそれぞれ設けられた登録ボタンが同時に押下されることにより、前記操作機器と前記被制御装置とが同時に前記簡易登録モードへ移行するステップを含むことを特徴とする請求項１記載のリモートコントロール方法。
【請求項３】
遠隔操作が許可される操作機器と被制御装置を特定する動作を行う暗号化登録モードを有し、遠隔操作を行うためのコマンドを前記操作機器から無線により前記被制御装置へ送信し、前記被制御装置を遠隔操作するリモートコントロール方法であって、
前記暗号化登録モードは、
前記被制御装置固有の暗号キーを前記操作機器との間で共通化するステップと、
遠隔操作が許可される相手機器を特定する相手機器固有情報を、前記操作機器と前記被制御装置との間で前記暗号キーをもとに暗号化して送受信するステップと、
前記操作機器から前記被制御装置へ送信された、前記遠隔操作が許可される前記操作機器を特定する相手機器固有情報を前記暗号キーとともに前記被制御装置が登録するステップと、
前記操作機器を特定する相手機器固有情報を登録した前記被制御装置から前記操作機器へ送信された、前記遠隔操作が許可される前記被制御装置を特定する相手機器固有情報を前記暗号キーとともに前記操作機器が登録するステップと、
を含むことを特徴とするリモートコントロール方法。
【請求項４】
前記操作機器と前記被制御装置とにそれぞれ設けられた登録ボタンが同時に押下されることにより、前記操作機器と前記被制御装置とが同時に前記暗号化登録モードへ移行するステップを含むことを特徴とする請求項３記載のリモートコントロール方法。
【請求項５】
前記暗号キーを操作機器との間で共通化するステップは、前記被制御装置において生成した暗号キーをユーザへ報知するステップと、前記操作機器における前記暗号キーの入力を前記ユーザへ促すステップとを備え、前記操作機器において前記ユーザにより入力された暗号キーをもとに前記操作機器と前記被制御装置との間で暗号キーを共通化することを特徴とする請求項３記載のリモートコントロール方法。
【請求項６】
遠隔操作を行うためのコマンドを操作機器から無線により被制御装置へ送信し、前記被制御装置を遠隔操作するリモートコントロール装置であって、
遠隔操作が許可される相手機器を特定する相手機器固有情報を前記被制御装置との間で平文で送受信し、遠隔操作が許可される相手機器を特定する相手機器固有情報を前記被制御装置との間において互いに共有化し、前記被制御装置との間において共有化した前記相手機器固有情報により遠隔操作が許可される相手機器を特定する動作を行う簡易登録モードを含むことを特徴とするリモートコントロール装置。
【請求項７】
前記簡易登録モードへ移行するための登録ボタンを含むことを特徴とする請求項６記載のリモートコントロール装置。
【請求項８】
遠隔操作を行うためのコマンドを無線により被制御装置へ送信し、前記被制御装置を遠隔操作するリモートコントロール装置であって、
被制御装置との間で共通化した暗号キーをもとに、遠隔操作が許可される相手機器を特定する相手機器固有情報を前記被制御装置との間で暗号化し送受信し、遠隔操作が許可される相手機器を特定する相手機器固有情報を前記被制御装置との間において互いに共有化し、前記被制御装置との間において共通化した前記暗号キーと、前記被制御装置との間において互いに共有化した前記相手機器固有情報とにより遠隔操作が許可される相手機器を特定する動作を行う暗号化登録モードを含むことを特徴とするリモートコントロール装置。
【請求項９】
前記暗号化登録モードへ移行するための登録ボタンを含むことを特徴とする請求項８記載のリモートコントロール装置。
【請求項１０】
前記被制御装置において生成した暗号キーをユーザへ報知し、前記被制御装置との間で共通化するための前記暗号キーの入力を前記ユーザへ促す暗号キー開示手段を備えていることを特徴とする請求項８記載のリモートコントロール装置。
【請求項１１】
遠隔操作を行うためのコマンドを操作機器から無線により受信し遠隔制御される電子機器であって、
遠隔操作が許可される相手機器を特定する相手機器固有情報を前記操作機器との間で平文で送受信し、遠隔操作が許可される相手機器を特定する相手機器固有情報を前記操作機器との間において互いに共有化し、前記操作機器との間において共有化した前記相手機器固有情報により遠隔操作が許可される相手機器を特定する動作を行う簡易登録モードを有するリモートコントロール受信装置を含むことを特徴とする電子機器。
【請求項１２】
遠隔操作を行うためのコマンドを操作機器から無線により受信し遠隔制御される電子機器であって、
前記操作機器との間で共通化した暗号キーをもとに、遠隔操作が許可される相手機器を特定する相手機器固有情報を前記操作機器との間で暗号化し送受信し、遠隔操作が許可される相手機器を特定する相手機器固有情報を前記操作機器との間において互いに共有化し、前記操作機器との間において共通化した前記暗号キーと、前記操作機器との間において互いに共有化した前記相手機器固有情報とにより遠隔操作が許可される相手機器を特定する動作を行う暗号化登録モードを有するリモートコントロール受信装置を含むことを特徴とする電子機器。
【請求項１３】
遠隔操作が許可される操作機器と被制御装置を特定する動作を行う簡易登録モードを有し、遠隔操作を行うためのコマンドを操作機器から無線により被制御装置へ送信し、前記被制御装置を遠隔操作するリモートコントロールシステムであって、
前記簡易登録モードは、
遠隔操作が許可される操作機器を特定する相手機器固有情報を前記操作機器から被制御装置へ平文で送信する第１送信手段と、
前記操作機器から前記被制御装置へ平文で送信された前記操作機器を特定する相手機器固有情報を前記被制御装置が登録する第１登録手段と、
前記操作機器を特定する前記相手機器固有情報を登録した前記被制御装置から前記操作機器へ、遠隔操作が許可される被制御装置を特定する相手機器固有情報を平文で送信する第２送信手段と、
前記被制御装置から前記操作機器へ平文で送信された前記被制御装置を特定する相手機器固有情報を前記操作機器が登録する第２登録手段と、
を含むことを特徴とするリモートコントロールシステム。
【請求項１４】
前記簡易登録モードへ移行するための登録ボタンを含むことを特徴とする請求項１３記載のリモートコントロールシステム。
【請求項１５】
遠隔操作が許可される操作機器と被制御装置を特定する動作を行う暗号化登録モードを有し、遠隔操作を行うためのコマンドを操作機器から無線により被制御装置へ送信し、前記被制御装置を遠隔操作するリモートコントロールシステムであって、
前記暗号化登録モードは、
前記被制御装置固有の暗号キーを前記操作機器との間で共通化する共通化手段と、
遠隔操作が許可される相手機器を特定する相手機器固有情報を、前記操作機器と前記被制御装置との間で前記暗号キーをもとに暗号化して送受信する送受信手段と、
前記操作機器から前記被制御装置へ送信された、前記遠隔操作が許可される前記操作機器を特定する相手機器固有情報を前記暗号キーとともに前記被制御装置が登録する被制御装置登録手段と、
前記操作機器を特定する相手機器固有情報を登録した前記被制御装置から前記操作機器へ送信された、前記遠隔操作が許可される前記被制御装置を特定する相手機器固有情報を前記暗号キーとともに前記操作機器が登録する操作機器登録手段と、
を含むことを特徴とするリモートコントロールシステム。
【請求項１６】
前記暗号化登録モードへ移行するための登録ボタンを含むことを特徴とする請求項１５記載のリモートコントロールシステム。
【請求項１７】
前記被制御装置において生成した暗号キーをユーザへ報知し、前記暗号キーの前記操作機器への入力を前記ユーザへ促す暗号キー開示手段を備えていることを特徴とする請求項１５記載のリモートコントロールシステム。
【発明の詳細な説明】
【技術分野】
【０００１】
本発明は、無線リモコンと操作対象である被制御機器との間での認証登録を伴う初期設定が可能であり、機器操作においては前記初期設定で登録した被制御装置と無線リモコン以外の操作を不可能にできるリモートコントロール方法、リモートコントロール装置、電子機器およびリモートコントロールシステムに関する。
【背景技術】
【０００２】
従来、家庭内機器をリモコン操作する場合、赤外線を媒介としてリモコン装置から家庭内機器へ制御信号を送信しており、家庭内機器では前記制御信号を受信し、家庭内機器の状態が制御されるようになっている。このような赤外線を媒介としたリモコン装置においては、電子機器が発生する赤外線や、他の家庭内機器を被操作装置とする他のリモコン装置から出力される赤外線による影響を受け易く、誤動作や制御信号の受信が妨害されるといった状況が懸念されている。
このような状況に対し、赤外線の代わりに、赤外線を除く例えば無線ＬＡＮなどの周波数帯域の電波を使用して遠隔操作を行うようにしたリモコン装置が提供されている。
このような、赤外線や、赤外線を除く無線ＬＡＮなどの周波数帯域の電波を使用して遠隔操作を行うようにしたリモコン装置としては、ユーザの嗜好に応じた所望のユーザインタフェースを使用し、一つのリモコン装置で複数の異なる被操作装置を遠隔操作するリモートコントロールシステムが提案されている（特許文献１参照）。
【特許文献１】特開２００５−３０３６５９号公報
【発明の開示】
【発明が解決しようとする課題】
【０００３】
このような従来のリモートコントロール方法および装置を用いて無線リモコンで家庭内機器を操作する場合、制御信号の到達距離が赤外線リモコンよりも長く、また制御信号が壁などの遮蔽物も透過してしまう。
このため、例えば、マンションやアパートで無線リモコンを使用した場合、隣の世帯の機器まで誤って操作したり、あるいは、自宅内の機器を自宅外からの無線リモコンにより勝手に操作されてしまうなど、誤操作される問題、あるいは、セキュリティー、情報、プライバシーの漏洩問題が発生することが懸念される。
したがって、他からの制御を許可無く受け付けない信頼性を向上させた無線リモコン用通信方式が求められていた。
【０００４】
本発明は、このような事情に鑑みてなされたものであり、その目的は、被制御機器の誤操作、エリア外からの不正操作、さらにはリモコン操作にかかわるプライバシーの漏洩を防止できる信頼性を向上させたリモートコントロール方法、リモートコントロール装置、電子機器およびリモートコントロールシステムを提供することにある。
【課題を解決するための手段】
【０００５】
上述の目的を達成するため、本発明にかかるリモートコントロール方法は、遠隔操作が許可される操作機器と被制御装置を特定する動作を行う簡易登録モードを有し、遠隔操作を行うためのコマンドを前記操作機器から無線により前記被制御装置へ送信し、前記被制御装置を遠隔操作するリモートコントロール方法であって、前記簡易登録モードは、遠隔操作が許可される操作機器を特定する相手機器固有情報を前記操作機器から被制御装置へ平文で送信するステップと、前記操作機器から前記被制御装置へ平文で送信された前記操作機器を特定する相手機器固有情報を前記被制御装置が登録するステップと、前記操作機器を特定する前記相手機器固有情報を登録した前記被制御装置から前記操作機器へ、遠隔操作が許可される被制御装置を特定する相手機器固有情報を平文で送信するステップと、前記被制御装置から前記操作機器へ平文で送信された前記被制御装置を特定する相手機器固有情報を前記操作機器が登録するステップとを含むことを特徴とする。
【０００６】
本発明にかかるリモートコントロール方法は、遠隔操作が許可される操作機器と被制御装置を特定する動作を行う暗号化登録モードを有し、遠隔操作を行うためのコマンドを前記操作機器から無線により前記被制御装置へ送信し、前記被制御装置を遠隔操作するリモートコントロール方法であって、前記暗号化登録モードは、前記被制御装置固有の暗号キーを前記操作機器との間で共通化するステップと、遠隔操作が許可される相手機器を特定する相手機器固有情報を、前記操作機器と前記被制御装置との間で前記暗号キーをもとに暗号化して送受信するステップと、前記操作機器から前記被制御装置へ送信された、前記遠隔操作が許可される前記操作機器を特定する相手機器固有情報を前記暗号キーとともに前記被制御装置が登録するステップと、前記操作機器を特定する相手機器固有情報を登録した前記被制御装置から前記操作機器へ送信された、前記遠隔操作が許可される前記被制御装置を特定する相手機器固有情報を前記暗号キーとともに前記操作機器が登録するステップとを含むことを特徴とする。
【０００７】
本発明にかかるリモートコントロール装置は、遠隔操作を行うためのコマンドを操作機器から無線により被制御装置へ送信し、前記被制御装置を遠隔操作するリモートコントロール装置であって、遠隔操作が許可される相手機器を特定する相手機器固有情報を前記被制御装置との間で平文で送受信し、遠隔操作が許可される相手機器を特定する相手機器固有情報を前記被制御装置との間において互いに共有化し、前記被制御装置との間において共有化した前記相手機器固有情報により遠隔操作が許可される相手機器を特定する動作を行う簡易登録モードを含むことを特徴とする。
【０００８】
本発明にかかるリモートコントロール装置は、遠隔操作を行うためのコマンドを無線により被制御装置へ送信し、前記被制御装置を遠隔操作するリモートコントロール装置であって、被制御装置との間で共通化した暗号キーをもとに、遠隔操作が許可される相手機器を特定する相手機器固有情報を前記被制御装置との間で暗号化し送受信し、遠隔操作が許可される相手機器を特定する相手機器固有情報を前記被制御装置との間において互いに共有化し、前記被制御装置との間において共通化した前記暗号キーと、前記被制御装置との間において互いに共有化した前記相手機器固有情報とにより遠隔操作が許可される相手機器を特定する動作を行う暗号化登録モードを含むことを特徴とする。
【０００９】
本発明にかかる電子機器は、遠隔操作を行うためのコマンドを操作機器から無線により受信し遠隔制御される電子機器であって、遠隔操作が許可される相手機器を特定する相手機器固有情報を前記操作機器との間で平文で送受信し、遠隔操作が許可される相手機器を特定する相手機器固有情報を前記操作機器との間において互いに共有化し、前記操作機器との間において共有化した前記相手機器固有情報により遠隔操作が許可される相手機器を特定する動作を行う簡易登録モードを有するリモートコントロール受信装置を含むことを特徴とする。
【００１０】
本発明にかかる電子機器は、遠隔操作を行うためのコマンドを操作機器から無線により受信し遠隔制御される電子機器であって、前記操作機器との間で共通化した暗号キーをもとに、遠隔操作が許可される相手機器を特定する相手機器固有情報を前記操作機器との間で暗号化し送受信し、遠隔操作が許可される相手機器を特定する相手機器固有情報を前記操作機器との間において互いに共有化し、前記操作機器との間において共通化した前記暗号キーと、前記操作機器との間において互いに共有化した前記相手機器固有情報とにより遠隔操作が許可される相手機器を特定する動作を行う暗号化登録モードを有するリモートコントロール受信装置を含むことを特徴とする。
【００１１】
本発明にかかるリモートコントロールシステムは、遠隔操作が許可される操作機器と被制御装置を特定する動作を行う簡易登録モードを有し、遠隔操作を行うためのコマンドを操作機器から無線により被制御装置へ送信し、前記被制御装置を遠隔操作するリモートコントロールシステムであって、前記簡易登録モードは、遠隔操作が許可される操作機器を特定する相手機器固有情報を前記操作機器から被制御装置へ平文で送信する第１送信手段と、前記操作機器から前記被制御装置へ平文で送信された前記操作機器を特定する相手機器固有情報を前記被制御装置が登録する第１登録手段と、前記操作機器を特定する前記相手機器固有情報を登録した前記被制御装置から前記操作機器へ、遠隔操作が許可される被制御装置を特定する相手機器固有情報を平文で送信する第２送信手段と、前記被制御装置から前記操作機器へ平文で送信された前記被制御装置を特定する相手機器固有情報を前記操作機器が登録する第２登録手段とを含むことを特徴とする。
【００１２】
本発明にかかるリモートコントロールシステムは、遠隔操作が許可される操作機器と被制御装置を特定する動作を行う暗号化登録モードを有し、遠隔操作を行うためのコマンドを操作機器から無線により被制御装置へ送信し、前記被制御装置を遠隔操作するリモートコントロールシステムであって、前記暗号化登録モードは、前記被制御装置固有の暗号キーを前記操作機器との間で共通化する共通化手段と、遠隔操作が許可される相手機器を特定する相手機器固有情報を、前記操作機器と前記被制御装置との間で前記暗号キーをもとに暗号化して送受信する送受信手段と、前記操作機器から前記被制御装置へ送信された、前記遠隔操作が許可される前記操作機器を特定する相手機器固有情報を前記暗号キーとともに前記被制御装置が登録する被制御装置登録手段と、前記操作機器を特定する相手機器固有情報を登録した前記被制御装置から前記操作機器へ送信された、前記遠隔操作が許可される前記被制御装置を特定する相手機器固有情報を前記暗号キーとともに前記操作機器が登録する操作機器登録手段とを含むことを特徴とする。
【発明の効果】
【００１３】
本発明によれば、被制御機器の誤操作、エリア外からの不正操作を防止でき、さらに暗号化登録モードを用いたときには被制御機器の誤操作、エリア外からの不正操作を防止できるだけでなく、リモコン操作にかかわるプライバシーの漏洩を防止できる信頼性を向上させ上で有利となる。
【発明を実施するための最良の形態】
【００１４】
本願発明の実施の形態は、例えば、必要なデータを平文で送受信する簡易登録方式により予め被制御装置に操作機器を登録し、あるいは制御装置と操作機器との間で取り決めた暗号キーをもとに、登録に必要なデータを暗号化して送受信する暗号化登録方式により予め被制御装置に操作機器を登録することが可能である。このため、簡易登録モードによる登録を行なったときには、操作機器と被制御装置との間で互いに相手の機器ＩＤを交換し取得し、この機器ＩＤを宛先ＩＤとするパケットフォーマットで機器操作コマンドなどのデータを送受信する。これにより特別に許可された操作機器からのみのコマンドの実行を許可することが出来、互いに相手の機器ＩＤを交換していない操作機器と被制御装置との間ではリモコン操作が不可能となり、被制御機器の誤操作や、エリア外からの不正操作を防止でき、信頼性を向上できる。
【００１５】
また、操作機器と被制御装置との間で暗号化登録方式による登録を行なったときには、操作機器と被制御装置との間で互いに暗号キーと相手の機器ＩＤを交換し取得し、前記機器ＩＤを宛先ＩＤとする、前記暗号キーをもとに暗号化したパケットフォーマットで機器操作コマンドなどのデータを送受信する。このため、暗号キーや相手の機器ＩＤを交換していない操作機器と被制御装置との間ではリモコン操作が不可能であり、さらに第三者による機器操作コマンドなどのデータの解読、リモコン操作にかかわるプライバシーの漏洩を防止でき、信頼性を向上できる。
【００１６】
図１は、本発明の実施の形態によるリモートコントロール方法が適用される無線リモートコントロール装置（以下、無線リモコンという）と被制御装置との関係を集合住宅を例に示した説明図である。
本実施の形態の無線リモコンは認証登録を行う初期設定が可能であり、これにより前記初期設定において認証登録した被制御装置と無線リモコンとの間でのみリモートコントロールによる制御が可能となる。
図１に示す例では、居住空間１、２、３、４により構成された集合住宅において、居住空間１、２は二階部分の居住空間であり隣り合っている。また、居住空間３、４は一階部分の居住空間であり隣り合っている。そして、居住区間３の上の階が居住空間１であり、居住区間４の上の階は居住空間２と、居住空間１の一部となっている。
また、居住区間１には冷暖房装置である被制御装置２１、液晶ＴＶである被制御装置２２、ＶＨＳビデオデッキ装置である被制御装置２３と、これらをリモコン制御するための無線リモコン１１が配置されている。
また、居住区間２にはステレオ装置である被制御装置３２、液晶ＴＶである被制御装置３１、ＶＨＳビデオデッキ装置である被制御装置３３と、これらをリモコン制御するための無線リモコン１２が配置されている。
また、居住区間３にはステレオ装置である被制御装置４１と、これをリモコン制御するための無線リモコン１３が配置されている。
また、居住区間４には冷暖房装置である被制御装置５１、液晶ＴＶである被制御装置５２と、これらをリモコン制御するための無線リモコン１４が配置されている。
【００１７】
図２は、本発明の実施の形態によるリモートコントロール方法が適用される無線リモコンと被制御装置の一例とを示す説明図である。図２には被制御装置の一例として液晶ＴＶとＶＨＳビデオデッキ装置とを示している。図２（ａ）は無線リモコン１０１の操作面の正面図を示している。
図２（ａ）に示すように無線リモコン１０１の操作面には、登録ボタン１１１、電源ボタン１１２、表示部１１３、受信したコマンドを被制御装置が無条件に実行する動作を行うオープンモード、特別に許可された操作機器からのコマンドのみの実行を許可する動作を行うセキュリティモードいずれかの選択、被制御装置をセキュリティモードで操作するに際し、予め被制御装置に操作機器を登録する方法として、登録に必要なデータを平文で送受信する簡易登録方式、被制御装置と操作機器との間で取り決めた暗号キーをもとに登録に必要なデータを暗号化して送受信する暗号化登録方式いずれかの選択を行うためのセレクトボタン１１５、選択対象となる被制御装置を表示部１１３へ上方向または下方向にスクロールして表示するシフトボタン１１４を含む各種操作ボタンが設けられている。
図２（ｂ）は被制御装置である液晶ＴＶ１２１の正面図を示す。この液晶ＴＶ１２１は液晶画面１３２を有し、登録ボタン１３１を備えている。
図２（ｃ）は被制御装置であるＶＨＳビデオデッキ装置１４１の正面図を示す。このＶＨＳビデオデッキ装置１４１も登録ボタン１４２を有し、ディスプレイ表示部１４３を備えている。
【００１８】
図３は、本発明の実施の形態によるリモートコントロール方法が適用される無線リモコンにおける被制御装置の選択操作を示す説明図である。
この無線リモコン１０１では、シフトボタン１１４のスクロール方向を決める上スクロールキーまたは下スクロールキーの操作により、選択対象となる被制御装置が表示部１１３へ表示され上方向または下方向にスクロールされる。
図３に示す例では、現在、表示部１１３へ表示されている被制御装置が液晶ＴＶである場合に、シフトボタン１１４で示す下スクロールキーを操作することで、被制御装置がＤＶＤ→エアコン→ミニコンポ→液晶ＴＶの順でスクロールされ表示部１１３へ表示される。そして、決定キーを押下することで表示部１１３へ表示されている被制御装置が選択される。
【００１９】
図４は、図２および図３に示した無線リモコン１０１の構成を示すブロック図である。
この無線リモコン１０１は、アンテナ１６１、無線トランシーバ１６２、ＣＰＵ１６３、数字キーと操作キーと図２（ａ）に示す登録ボタン１１１を含む操作キー１６４およびＲＯＭやＲＡＭなどのメモリを備えている。
アンテナ１６１は、高周波の無線周波数信号に変調された各種データをこの無線リモコン１０１と被制御装置との間で送受信するための装置である。
無線トランシーバ１６２は、無線リモコン１０１と被制御装置との間で送受信される各種データを高周波の無線周波数信号に変調したり、アンテナ１６１で受信した高周波の無線周波数信号から各種データを復調する装置である。
ＣＰＵ１６３は、この無線リモコン１０１の各部を制御するものである。
数字キーと操作キーと登録ボタンを含む操作キー１６４は、図２に示すようにＴＶチャネルを選択するためのチャネル番号を指定する数字キーと、符号１１４で示す上スクロールキーや下スクロールキーと、符号１１５で示すセレクトキーと、後述するリモコン登録を行うための登録キー１１１を含む。
メモリは、ＲＯＭ１６６およびＲＡＭ１６５から構成され、ＲＯＭ１６６には後述するノードテーブルとプログラム領域が設定され、ＲＡＭ１６５はワークエリアとして使用される。
【００２０】
図５は、被制御装置の一例として液晶ＴＶ１２１の構成を示すブロック図である。
この液晶ＴＶ１２１は無線リモコン用アンテナ１７１、無線トランシーバ１７２、数字キーと操作キーと図２（ｂ）に示す登録ボタン１３１を含む操作キー１７３、ＲＯＭ１７４、ＲＡＭ１７５およびＣＰＵ１７６と、ＴＶ用アンテナ１７７、ディジタルＴＶチューナ１７８、ＤＥＭＵＸ１７９、ＭＰＥＧデコーダ１８０、ＯＳＤ１８１、ビデオエンコーダ１８２、ディスプレイ装置１８３、オーディオＤＡＣ１８４およびオーディオデコーダ１８５とを備えている。
なお、無線リモコン用アンテナ１７１、無線トランシーバ１７２、数字キーと操作キーと図２（ｂ）に示す登録ボタン１３１を含む操作キー１７３、ＲＯＭ１７４、ＲＡＭ１７５およびＣＰＵ１７６はリモートコントロール受信装置を構成している。
無線リモコン用アンテナ１７１は、高周波の無線周波数信号に変調された各種データを無線リモコン１０１との間で送受信するための装置である。
無線トランシーバ１７２は、無線リモコン１０１との間で送受信される各種データを高周波の無線周波数信号に変調したり、無線リモコン用アンテナ１７１で受信した高周波の無線周波数信号から各種データを復調する装置である。
数字キーと操作キーと登録ボタンを含む操作キー１７３は、ＴＶチャネルを選択するためのチャネル番号を指定する数字キー、上スクロールキーや下スクロールキー、セレクトキー、後述するリモコン登録を行うための登録キーを含む。
このリモコン登録を行うための登録キーは、図２（ｂ）のディスプレイ装置１２１に示すように、液晶画面１３２の両側に配置されたスピーカ部の一方の下端付近に設けられた登録ボタン１３１として示されている。
【００２１】
ＲＯＭ１７４には後述するノードテーブルとプログラム領域が設定され、ＲＡＭ１７５はワークエリアとして使用される。
ＣＰＵ１７６は、この液晶ＴＶのディジタルＴＶチューナ１７８、ＭＰＥＧデコーダ１８０、ＯＳＤ１８１などの各部の制御と、無線リモコン１０１からこの液晶ＴＶ１２１に対するリモコン操作を実現するための制御を行うものである。
ＴＶ用アンテナ１７７は、ＴＶ電波を受信するための装置である。ディジタルＴＶチューナ１７８は、各ＴＶチャネルのＴＶ電波の周波数にチューニングを行い、所望のＴＶチャネルのＴＶ電波を受信するためのものである。なお、受信しようとするＴＶチャネルに対するチューニングはＣＰＵ１７６により制御される。
ＤＥＭＵＸ１７９は、ディジタルＴＶチューナ１７８により選局されたＴＶチャネルの信号から映像と音声とを分離する回路である。ＭＰＥＧデコーダ１８０は、選局されたＴＶチャネルの信号から分離した、符号化処理により圧縮されている映像信号を復号化する回路である。なお、このＭＰＥＧデコーダ１８０はＣＰＵ１７６により制御される。
ＯＳＤ１８１は、液晶ディスプレイ１８３へ出力中の映像に文字や記号などを上書きして表示出力する装置である。ビデオエンコーダ１８２は、ＭＰＥＧデコーダ１８０により復号化した映像信号をディスプレイ装置１８３へ表示できるように処理する装置である。
ディスプレイ装置１８３は、例えば液晶を使用したディスプレイ装置である。オーディオデコーダ１８４は、ＤＥＭＵＸ１７９により分離され符号化処理により圧縮されているディジタル音声信号に対し復号化処理を行う回路である。オーディオＤＡＣ１８５は、オーディオデコーダ１８４により復号化され再生されたディジタル音声信号をアナログ音声信号へ変換する回路である。
【００２２】
図６は、無線リモコン１０１と被制御装置との間で送受信されるデータのパケットフォーマットを示す説明図である。図６（ａ）は、データを暗号化しないで無線リモコン１０１と被制御装置との間で送受信する簡易登録方式において使用されるパケットフォーマット、図６（ｂ）は、データを暗号化して無線リモコン１０１と被制御装置との間で送受信する暗号化登録方式において使用されるパケットフォーマットである。
図６（ａ）は簡易登録方式において認証登録に必要なデータの送受信に使用されるパケットフォーマットであり、プリアンブル２０１、宛先ＩＤ２０２、送信元ＩＤ２０３、パケットタイプ２０４、パケット識別ＩＤ２０５、パケット長２０６、データ２０７、ＣＲＣ２０８により構成される。
また、図６（ｂ）は暗号化登録方式において認証登録に必要なデータの送受信に使用されるパケットフォーマットであり、この暗号化登録方式では、図６（ａ）に示す簡易登録方式のパケット識別ＩＤ２０５、パケット長２０６、データ２０７が、暗号化された暗号化パケット識別ＩＤ２１１、暗号化パケット長２１２、暗号化データ２１３となり、その他の構成は同じである。
【００２３】
図７は、無線リモコン１０１のＲＯＭ１６６に格納されたノードテーブルＴＢＬの構成を示す説明図である。
図７に示すように、このノードテーブルＴＢＬは、テーブルＩＤ２２１、特定の操作機器からのコマンドのみを受け付ける動作を行うセキュリティモードで初期設定され認証登録された被制御装置のノードアドレス２２２、前記被制御装置の愛称２２３、暗号キー２２４の各要素から構成されている。
ノードアドレス２２２は愛称２２３により示された例えば冷蔵庫、エアコン１などの被制御装置ごとの固有の番地を示している。また、暗号キー２２４はセキュリティモードの暗号化登録方式で初期設定され認証登録された場合に、前記被制御装置のノードアドレスごとに規定されるものであり、ノードアドレスごと、被制御装置ごとに暗号化パケットを生成するためのキーである。
【００２４】
次に動作について説明する。
図８は、簡易登録方式により被制御装置へ特定の操作機器を認証登録する際の動作を示すフローチャートである。
なお、以下の説明では、一例として被制御装置は図２（ｂ）に示す液晶ＴＶ１２１であり、その構成は図５に示されている。また、操作機器は図２（ａ）に示す無線リモコン１０１であり、その構成は図４に示されている。
このフローチャートによれば、先ず、操作機器である無線リモコン１０１と被制御装置とにおいて、無線リモコン１０１の登録ボタン１１１と液晶ＴＶ１２１の登録ボタン１３１を同時に押下した状態にする（ステップＳ１、ステップＳ１１）。
この結果、無線リモコン１０１と液晶ＴＶ１２１はそれぞれ登録モードへ移行する（ステップＳ２、ステップＳ１２）。
この状態において、無線リモコン１０１から液晶ＴＶ１２１へ「簡易登録方式の登録要求」の送信が行われ（ステップＳ３）、液晶ＴＶ１２１は無線リモコン１０１から送られてきた「簡易登録方式の登録要求」を受信する（ステップＳ１３）。
【００２５】
この「登録要求」を受信した液晶ＴＶ１２１では、受信した「登録要求」が簡易登録方式の登録要求であるか否かを判定する（ステップＳ１４）。この結果、受信した「登録要求」が簡易登録方式の登録要求であると判定すると、続いて、内蔵したＲＯＭ（フラッシュＲＯＭ）１７４へ操作機器ＩＤを登録する（ステップＳ１５）。
この操作機器ＩＤは、ステップＳ３において無線リモコン１０１から液晶ＴＶ１２１へ「簡易登録方式の登録要求」の送信が行われた際の無線リモコン１０１の発信元ＩＤから明らかになる。この操作機器ＩＤの登録は、図５に示す液晶ＴＶ１２１のＲＯＭ（フラッシュＲＯＭ）１７４のノードテーブル１５２へ登録される。
そして、「簡易登録方式の登録要求」に対する「承認応答」と液晶ＴＶ１２１自身の送信元ＩＤとを含むデータについて図６（ａ）に示すパケットフォーマットでパケットを生成し、無線リモコン１０１へ送信する（ステップＳ１６）。
なお、ステップＳ１４の判定処理において、受信した「登録要求」が簡易登録方式の登録要求でない場合、例えばＬＥＤ表示器を用いたエラー表示を行い、または被制御装置が液晶ＴＶ１２１である場合には液晶画面１３２へエラー表示を行うことも可能であり（ステップＳ２０）、被制御装置は通常モードへ移行する。
【００２６】
無線リモコン１０１では、液晶ＴＶ１２１からステップＳ１６の送信処理により送られてきた「承認応答」と液晶ＴＶ１２１自身の送信元ＩＤとを含むパケットを受信すると（ステップＳ４、ステップＳ５）、その送信元ＩＤから液晶ＴＶ１２１である被制御装置ＩＤをノードアドレスとしてＲＯＭ（フラッシュＲＯＭ）１６６のノードテーブル１５１へ登録する（ステップＳ６）。
被制御装置がＶＨＳデッキ、オーディオコンポであるときの無線リモコン１０１と被制御装置との間で簡易登録方式による登録が行われた際のノードテーブル１５１の一例を図７のノードテーブルＴＢＬのテーブルＩＤ“１”、“３”として示す。
次に簡易登録方式の登録について完了した旨の完了通知を無線リモコン１０１から被制御装置である液晶ＴＶ１２１へ送信する（ステップＳ７）。そして、無線リモコン１０１では例えばＬＥＤ表示器による完了表示を行い（ステップＳ８）、通常モードへ移行する。
なお、ステップＳ５において液晶ＴＶ１２１から送られてくる「承認応答」と液晶ＴＶ１２１自身の送信元ＩＤとを含むパケットが無線リモコン１０１において受信できないときには、無線リモコン１０１では例えばＬＥＤ表示器を用いてエラー表示を行い（ステップＳ９）、通常モードへ移行する。
【００２７】
被制御装置である液晶ＴＶ１２１では、無線リモコン１０１からステップＳ７の送信処理により送られてきた完了通知を受信すると（ステップＳ１７、ステップＳ１８）、例えばＬＥＤ表示器による完了表示を行い、または被制御装置が液晶ＴＶ１２１である場合には液晶画面１３２へ完了表示を行うことも可能であり（ステップＳ１９）、被制御装置は通常モードへ移行する。
なお、以上の説明において、ステップＳ３は請求項１３の第１送信手段、ステップＳ６は第２登録手段、ステップＳ１５は第１登録手段、ステップＳ１６は第２送信手段に対応している。
【００２８】
図９は、被制御装置と操作機器との間における暗号化登録方式による登録動作を示すフローチャートである。この場合も、一例として被制御装置は図２（ｂ）に示す液晶ＴＶ１２１であり、操作機器は図２（ａ）に示す無線リモコン１０１である。なお、図９のフローチャートにおいて図８と同一または相当なステップについては同一の符号を付してある。
このフローチャートによれば、先ず、操作機器である無線リモコン１０１と被制御装置の液晶ＴＶ１２１とにおいて、それぞれの登録ボタン１１１、１３１を同時に押下した状態にする（ステップＳ１、ステップＳ１１）。
この結果、無線リモコン１０１と液晶ＴＶ１２１はそれぞれ登録モードへ移行する（ステップＳ２、ステップＳ１２）。この状態において、液晶ＴＶ１２１から無線リモコン１０１へ「セキュリティ登録要求」の送信が行われ（ステップＳ５１）、無線リモコン１０１では、液晶ＴＶ１２１から送られてきた「セキュリティ登録要求」を受信することでセキュリティモードに移行する（ステップＳ３１）。
【００２９】
被制御装置である液晶ＴＶ１２１では暗号キーを生成し、液晶画面１３２へ前記生成した暗号キーを表示出力する（ステップＳ５２）。
図１０は、被制御装置が液晶ＴＶ１２１であるときの、液晶ＴＶ１２１で発生させた暗号キーの報知、操作機器との間で暗号キーを共通化するための操作を促す一例を示す説明図である。
図１０（ａ）に示すように液晶ＴＶ１２１の液晶画面１３２には、発生させた「暗号キー」と、「その暗号キーをリモコンへ入力してください」旨が表示出力され、ユーザへの報知が行われる。この暗号キーは、例えば発生させた乱数をもとに生成することが可能である。また、前記生成した暗号キーは音声によりユーザへ報知する構成にすることも可能である。
【００３０】
無線リモコン１０１においては、液晶ＴＶ１２１の液晶画面１３２へ表示出力された「暗号キー」をユーザがキー入力する（ステップＳ３２）。すると、無線リモコン１０１は、暗号化登録方式による「登録要求」を、前記暗号キーをもとに暗号化して液晶ＴＶ１２１へ送信する（ステップＳ３３）。
【００３１】
液晶ＴＶ１２１においてこの「登録要求」を受信すると（ステップＳ５３）、液晶ＴＶ１２１では、受信した「登録要求」が暗号化登録方式による登録の要求であるか否かを判定する（ステップＳ５４）。
この結果、受信した「登録要求」が暗号化登録方式による登録要求であると判定すると、続いて、データの暗号解読を行う（ステップＳ５５）。この暗号解読においては、内蔵したＲＯＭ（フラッシュＲＯＭ）１７４へ操作機器ＩＤと暗号キーとを登録する（ステップＳ５６）。
この操作機器ＩＤは、ステップＳ３３において無線リモコン１０１から送信された暗号化登録方式による登録要求の送信元ＩＤから明らかになる。また、操作機器ＩＤと暗号キーの登録は、図５に示すＲＯＭ（フラッシュＲＯＭ）１７４のノードテーブル１５２へ登録される。
この場合のノードテーブル１５２の一例を図７のノードテーブルＴＢＬのテーブルＩＤ“０”として示す。このテーブルＩＤ“０”のノードアドレスは、「暗号化登録方式による登録の要求」を送信した無線リモコン１０１の送信元ＩＤである。
そして、「暗号化登録方式による登録の要求」に対する「承認応答」と液晶ＴＶ１２１自身の送信元ＩＤとを含むデータに対し、前記暗号キーを用いて図６（ｂ）に示すパケットフォーマットで暗号化されたパケットを生成し、無線リモコン１０１へ送信する（ステップＳ５７）。
なお、ステップＳ５４の判定処理において、受信した「登録要求」が暗号化登録方式による登録の要求でない場合、例えばＬＥＤ表示器を用いたエラー表示、あるいは図１０（ｃ）に示すような液晶ＴＶ１２１の液晶画面１３２へ「登録に失敗しました」旨の表示を行い（ステップＳ６１）、通常モードへ移行する。
【００３２】
無線リモコン１０１では、液晶ＴＶ１２１からステップＳ５７の送信処理により送られてきた「承認応答」と液晶ＴＶ１２１の送信元ＩＤとを含む暗号化されたパケットを受信すると（ステップＳ３４）、続いてデータの暗号解読を行う（ステップＳ３５）。
そして、「承認応答」と液晶ＴＶ１２１の送信元ＩＤとを含むパケットについての受信判定を行い（ステップＳ３６）、「承認応答」と液晶ＴＶ１２１の送信元ＩＤを受信したと判定すると、液晶ＴＶ１２１自身の送信元ＩＤから明らかになる被制御装置ＩＤと暗号キーとをＲＯＭ（フラッシュＲＯＭ）１６６のノードテーブル１５１へ登録する（ステップＳ３７）。
このときのノードテーブル１５１の一例を図７のノードテーブルＴＢＬのテーブルＩＤ“０”として示す。この場合のテーブルＩＤ“０”のノードアドレスは、ステップＳ３４において無線リモコン１０１へ暗号化された「承認応答」を送信した被制御装置、すなわち液晶ＴＶ１２１の送信元ＩＤである。
この結果、操作機器である無線リモコン１０１と、被制御装置である液晶ＴＶ１２１とには、実行を許可する相手の機器ＩＤがノードアドレスとして登録される。
そして、セキュリティモードでの暗号化登録方式による登録について完了した旨の完了通知を被制御装置である液晶ＴＶ１２１へ送信する（ステップＳ３８）。そして、例えばＬＥＤ表示器による完了表示を行い（ステップＳ３９）、通常モードへ移行する。
なお、ステップＳ３６において「承認応答」と液晶ＴＶ１２１の送信元ＩＤとを含むパケットが受信できないときには、例えばＬＥＤ表示器を用いてエラー表示を行う（ステップＳ４０）。
【００３３】
被制御装置である液晶ＴＶ１２１では、無線リモコン１０１からステップＳ３８の送信処理により送られてきた完了通知を受信すると（ステップＳ５８、ステップＳ５９）、例えばＬＥＤ表示器による完了表示あるいは図１０（ｂ）に示すような液晶ＴＶ１２１の液晶画面１３２へ「（暗号化登録方式による）登録が完了しました」旨の表示を行い（ステップＳ６０）、通常モードへ移行する。
なお、以上の説明において、ステップＳ３７は請求項１５の操作機器登録手段、ステップＳ５２は請求項１５の共通化手段および請求項１７の暗号キー開示手段、ステップＳ５３とステップＳ５７は請求項１５の送受信手段、ステップＳ５６は被制御装置登録手段に対応している。
【００３４】
図１１は、簡易登録方式による登録動作および暗号化登録方式による登録動作と、受信したコマンドを無条件に実行するオープンモード通信、および、認証登録された操作機器からのコマンドのみを受け付けるセキュリティモード通信を示すシーケンス図である。
図１１（ａ）に示す簡易登録方式による登録動作は図８のフローチャートの概要を示しており、操作機器である無線リモコン１０１から被制御装置の機器ＩＤと愛称とを含む簡易登録要求が被制御装置へ送られる。これに対し、被制御装置からは、「承認応答」と被制御装置自身の機器ＩＤと愛称とを含む被制御装置についてのデータが操作機器である無線リモコン１０１へ送られる。その後、操作機器である無線リモコン１０１からは、登録が完了した旨を示す完了通知が被制御装置へ送られる。
また、図１１（ｂ）に示す暗号化登録方式によるリモコン登録動作は図９のフローチャートの概要を示しており、先ず、被制御装置から操作機器である無線リモコン１０１へ、セキュリティ登録要求が送られる。これに対し操作機器である無線リモコン１０１では、セキュリティモードへ移行し、被制御装置において生成された暗号キーの登録がユーザにより行われる。そして、無線リモコン１０１の機器ＩＤと愛称とを含む暗号化登録方式による登録の要求が被制御装置へ送られる。これに対し、被制御装置からは、前記暗号化キーにより暗号化された「承認応答」と被制御装置自身の機器ＩＤと愛称とを含む被制御装置についてのデータが操作機器である無線リモコン１０１へ送られる。その後、操作機器である無線リモコン１０１からは、登録が完了した旨を示す完了通知が被制御装置へ送られる。
【００３５】
図１１（ｃ）に示すオープンモード通信では、被制御装置は受信したコマンドを無条件に実行する。操作機器である無線リモコン１０１から被制御装置へ送信データのパケットが送信される。そして、正常にパケットの受信が完了すると、パケットの受信が完了したことを示す信号を操作機器である無線リモコン１０１が受信することで、操作機器である無線リモコン１０１は通常動作に移行する。
【００３６】
図１１（ｄ）に示すセキュリティモード通信では、操作機器である無線リモコン１０１から被制御装置へ図６（ｂ）に示すセキュリティモードによるパケットフォーマットで暗号化された送信データのパケットが送信される。そして、正常にパケットの受信が完了すると、パケットの受信が完了したことを示す暗号化された信号を被制御装置から操作機器である無線リモコン１０１が受信することで、操作機器である無線リモコン１０１は通常動作に移行する。
【００３７】
図１２は、図１１（ｃ）に示すオープンモード通信の詳細を示すフローチャートである。
このオープンモード通信は、受信したコマンドを被制御装置が無条件で実行するモードである。図１２に示すフローチャートによれば、先ず操作機器である無線リモコン１０１において、ユーザが被制御装置を選択する（ステップＳ１０１）。この選択操作は、図３において説明したようにシフトボタン１１４で示すスクロール方向を決める上スクロールキーまたは下スクロールキーを操作し、表示部１１３へ表示される被制御装置を上方向または下方向にスクロールし、例えば決定ボタンを押下することで選択する。
次に、選択した被制御装置との間の通信モードがオープンモードであるか否かを判定する（ステップＳ１０２）。この通信モードの判定は例えばセレクトボタン１１５によるオープンモード、セキュリティモードの選択結果を参照することで可能となる。
なお、オープンモードでない場合には、登録タイプ別定義済み処理へ移行する（ステップＳ１０７）。
ステップＳ１０２においてオープンモードであると判定した後、ユーザがリモコン操作のためのボタン操作を行う。すると操作されたボタンの検出を行い（ステップＳ１０３）、操作されたボタンに応じた処理を被制御装置で実現するための機器操作コマンドを図６（ａ）に示すパケットフォーマットに従って生成し、ステップＳ１０１において選択した被制御装置へ送信する（ステップＳ１０４）。
【００３８】
前記被制御装置では、前記機器操作コマンドを受信すると（ステップＳ１１１）、操作機器である無線リモコン１０１との間でリモコン登録されたモードがオープンモードであるか否かを判定する（ステップＳ１１２）。
ステップＳ１１２においてオープンモードでないと判定した場合には、パケットタイプ別の定義済み処理へ移行する（ステップＳ１１３）。
ステップＳ１１２においてオープンモードであると判定すると、続いてＣＲＣ整合、すなわち周期性冗長性チェックを行う（ステップＳ１１４）。そして、誤りが検出されなければ、エラーなくデータを受信し通信が成功したことを示すＡｃｋパケットを生成し、操作機器である無線リモコン１０１へ送信する（ステップＳ１１６）。一方、誤りがあればデータエラーの発生を示すＡｃｋパケットを操作機器である無線リモコン１０１へ送信する（ステップＳ１１５）。
操作機器である無線リモコン１０１では前記被制御装置からＡｃｋパケットを受信すると（ステップＳ１０５）、受信したＡｃｋパケットがエラーなく受信され通信が成功したことを示しているか否かを判定し（ステップＳ１０６）、この結果、通信が成功したことを示していれば通常モードへ移行する。一方、通信が成功していないことを示していればステップＳ１０４へ戻り、再度、機器操作コマンドなどを生成し、ステップＳ１０１において選択した被制御装置へ送信する。
【００３９】
図１３は、図１１（ｄ）に示すセキュリティモード通信の詳細を示すフローチャートである。
このセキュリティモード通信では、特別に許可された操作機器からのコマンドのみ実行を許可するモードである。先ず操作機器である無線リモコン１０１において、ユーザが被制御装置を選択する。この被制御装置の選択操作は、図３において説明したようにシフトボタン１１４で示すスクロール方向を決める上スクロールキーまたは下スクロールキーを操作する。
この結果、図７に示すノードテーブルＴＢＬが参照され、被制御装置を上方向または下方向にスクロールし被制御装置の愛称が表示部１１３へ表示される。このときユーザが例えば決定ボタンを押下することで表示部１１３へ表示されている被制御装置が選択される（ステップＳ１２１、ステップＳ１２２）。
次に、選択された被制御装置がセキュリティモードであるか否かを判定する（ステップＳ１２３）。この結果、セキュリティモードでない場合には、登録タイプ別定義済み処理へ移行する（ステップＳ１２４）。ステップＳ１２３においてセキュリティモードであると判定した後、ユーザによるリモコン操作のためのボタン操作が行われる。するとこのとき操作されたボタンの検出を行う（ステップＳ１２５）。
次に、ステップＳ１２２において選択された被制御装置の機器ＩＤ、ノードアドレスをもとに図７に示すノードテーブルＴＢＬから対応する暗号キーを参照する（ステップＳ１２６）。そして、ステップＳ１２５において検出した操作されたボタンに応じた処理を被制御装置で実現するための図６（ｂ）に示すパケットフォーマットに従った暗号化された機器操作コマンドを、前記参照した暗号キーを使用して生成し、ステップＳ１２２において選択した被制御装置へ送信する（ステップＳ１２７）。
【００４０】
被制御装置において、操作機器から送られてきた機器操作コマンドを受信すると（ステップＳ１３１）、操作機器である無線リモコン１０１との間でセキュリティモードが設定されているか否かを判定する（ステップＳ１３２）。このモード判定は図９に示す暗号化登録方式による登録処理において、無線リモコン１０１が登録されているか否かを判定することで可能となる。
なお、ステップＳ１３２においてセキュリティモードでないと判定した場合には、パケットタイプ別の定義済み処理へ移行する（ステップＳ１３３）。
ステップＳ１３２においてセキュリティモードであると判定すると、続いてＣＲＣ整合、すなわち周期性冗長性チェックを行う（ステップＳ１３４）。この結果、誤りがあればデータエラーの発生を示すＡｃｋパケットを操作機器である無線リモコン１０１へ送信する（ステップＳ１３５）。一方、誤りが検出されなければ、ステップＳ１３１で受信したパケットフォーマットの送信元ＩＤをもとに図５に示すノードテーブル１５２、たとえば図７に示すノードテーブルのテーブルＩＤ“０”の暗号キーを参照する（ステップＳ１３５）。
そして、参照した暗号キーを使用して暗号解読を行い（ステップＳ１３６）、パケットデータの解析を行い（ステップＳ１３７）、パケットデータの解析結果に応じた処理を行う（ステップＳ１３８）。なお、パケットデータの解析の結果、問題がなければ、エラーなくデータを受信し通信が成功したことを示す暗号化されたＡｃｋパケットを生成し、操作機器である無線リモコン１０１へ送信する（ステップＳ１３９）。
操作機器である無線リモコン１０１ではこのＡｃｋパケットを受信すると（ステップＳ１２８）、受信したＡｃｋパケットをもとに通信が成功したか否かを判定し（ステップＳ１２９）、この結果、通信が成功していれば通常モードへ移行する。一方、通信が成功していないこときにはステップＳ１２７へ戻り、再度、セキュリティモードにおける機器操作コマンドなどを暗号化されたパケットとして生成し、ステップＳ１２２において選択された被制御装置へ送信する。
【００４１】
以上のように、本実施の形態によれば、必要なデータを平文で送受信する簡易登録方式により予め被制御装置に操作機器を登録し、あるいは制御装置と操作機器との間で取り決めた暗号キーをもとに、登録に必要なデータを暗号化して送受信する暗号化登録方式により予め被制御装置に操作機器を登録することが可能である。
このため、操作機器と被制御装置との間で簡易登録方式による登録を行なったときには、操作機器と被制御装置との間で互いに相手の機器ＩＤ、すなわち操作機器においては相手の被制御装置の機器ＩＤであるノードアドレス、被制御装置においては相手の操作機器の機器ＩＤであるノードアドレスを交換し取得し、このノードアドレスを宛先ＩＤとするパケットフォーマットで機器操作コマンドなどのデータを送受信することが可能になる。
これにより特別に許可された操作機器からのみのコマンドの実行を許可することが出来、互いに相手の機器ＩＤを交換していない操作機器と被制御装置との間ではリモコン操作が不可能となり、被制御機器の誤操作や、エリア外からの不正操作を防止でき、信頼性を向上させたリモートコントロール方法および装置を提供することができる。
【００４２】
また、操作機器と被制御装置との間で暗号化登録方式による登録を行なったときには、操作機器と被制御装置との間で互いに暗号キーと相手の機器ＩＤ、すなわち操作機器においては相手の被制御装置の機器ＩＤであるノードアドレス、被制御装置においては相手の操作機器の機器ＩＤであるノードアドレスを交換し取得し、前記ノードアドレスを宛先ＩＤとするパケットフォーマットで、前記暗号キーをもとに暗号化した機器操作コマンドなどのデータを送受信することが可能になる。
このため、暗号キーや相手の機器ＩＤを交換していない操作機器と被制御装置との間ではリモコン操作が不可能であり、さらに第三者による機器操作コマンドなどのデータの解読、リモコン操作にかかわるプライバシーの漏洩を防止でき、信頼性を向上させたリモートコントロール方法および装置を提供できる。
【００４３】
また、複数の被制御装置に対しそれぞれ異なる暗号キーを生成し、操作機器が各被制御装置との間で交換したノードアドレスを宛先ＩＤとするパケットフォーマットで、各被制御装置に対する機器操作コマンドなどのデータをそれぞれ暗号化して送受信することが可能になる。
このため、被制御装置の数が増加しても、被制御機器の誤操作や、エリア外からの不正操作を防止でき、信頼性を向上させたリモートコントロール方法および装置を提供できる。
【００４４】
また、操作機器と被制御装置との間の簡易登録方式による登録または暗号化登録方式による登録いずれにおいても、操作機器と被制御装置とにそれぞれ設けられた登録ボタンを同時に押下する操作や、簡易登録方式と暗号化登録方式の選択操作のみでリモコン登録の初期設定が実行される。
このため機器操作に不慣れな使用者でも、操作機器と被制御機器との間での認証登録を伴う初期設定を容易に行うことが可能であり、前記初期設定で登録した機器同士以外では操作が不可能であり、信頼性を向上させたリモートコントロール方法および装置を提供できる。
【図面の簡単な説明】
【００４５】
【図１】本発明の実施の形態によるリモートコントロール方法が適用される無線リモコンと被制御装置との関係を集合住宅を例に示した説明図である。
【図２】本発明の実施の形態におけるリモートコントロール方法が適用される無線リモコンと被制御装置の一例とを示す説明図である。
【図３】本発明の実施の形態におけるリモートコントロール方法が適用される無線リモコンにおける被制御装置の選択操作を示す説明図である。
【図４】本発明の実施の形態における無線リモコンの構成を示すブロック図である。
【図５】本発明の実施の形態による被制御装置の一例として液晶ＴＶの構成を示すブロック図である。
【図６】本発明の実施の形態における無線リモコンと被制御装置との間で送受信されるデータのパケットフォーマットを示す説明図である。
【図７】本発明の実施の形態におけるノードテーブルＬの構成を示す説明図である。
【図８】本発明の実施の形態における簡易登録方式により被制御装置へ特定の操作機器を認証登録する際の動作を示すフローチャートである。
【図９】本発明の実施の形態における被制御装置と操作機器との間における暗号化登録方式による登録動作を示すフローチャートである。
【図１０】本発明の実施の形態による暗号キーの報知、操作機器との間で暗号キーを共通化するための操作を促す一例を示す説明図である。
【図１１】本発明の実施の形態における簡易登録方式による登録動作および暗号化登録方式による登録動作と、オープンモード通信およびセキュリティモード通信を示すシーケンス図である。
【図１２】本発明の実施の形態におけるオープンモード通信の詳細を示すフローチャートである。
【図１３】本発明の実施の形態におけるセキュリティモード通信の詳細を示すフローチャートである。
【符号の説明】
【００４６】
１０１……無線リモコン（操作機器）、１１１、１３１……登録ボタン、１２１……液晶ＴＶ（被制御装置）、１７１……無線リモコン用アンテナ（リモートコントロール受信装置）、１７２……無線トランシーバ（リモートコントロール受信装置）、１７３……操作キー（リモートコントロール受信装置）、１７４……ＲＯＭ（リモートコントロール受信装置）、１７５……ＲＡＭ（リモートコントロール受信装置）、１７６……ＣＰＵ（リモートコントロール受信装置、暗号キー開示手段）、１８１……ＯＳＤ（暗号キー開示手段）。
【図１】
2008085959.tif 000003
【図２】
2008085959.tif 000004
【図３】
2008085959.tif 000005
【図４】
2008085959.tif 000006
【図５】
2008085959.tif 000007
【図６】
2008085959.tif 000008
【図７】
2008085959.tif 000009
【図８】
2008085959.tif 000010
【図９】
2008085959.tif 000011
【図１０】
2008085959.tif 000012
【図１１】
2008085959.tif 000013
【図１２】
2008085959.tif 000014
【図１３】
2008085959.tif 000015